(57)【要約】【課題】発光素子と受光素子とを、位置調整を行うことなく所定の間隔を隔てた位置に配置することが可能な受発光装置を提供する。【解決手段】この画像形成装置（昇華型プリンタ）は、発光素子保持部３０ａ、および、発光素子保持部３０ａから所定の間隔を隔てて設けられた受光素子保持部３０ｂを含む保持部材３０と、発光素子保持部３０ａに配置された発光素子２７と、受光素子保持部３０ｂに配置され、発光素子２７から発光された光を受光する受光素子２８とを備え、発光素子保持部３０ａは、発光素子２７の外側面に当接するように複数配置され、発光素子２７を発光素子保持部３０ａの所定の位置に保持するための発光素子係合部３０ｇを含み、受光素子保持部３０ｂは、受光素子２８の外側面に当接するように複数配置され、受光素子２８を受光素子保持部３０ｂの所定の位置に保持するための受光素子係合部３０ｉを含む。【選択図】図６
2008183891.tif 000002
【特許請求の範囲】
【請求項１】
発光素子を備えた受発光装置において、
前記発光素子が配置されている第１保持部、および、前記第１保持部から所定の間隔を隔てて設けられた第２保持部を含む保持部材と、
前記保持部材の第２保持部に配置され、前記発光素子から発光された光を受光する受光素子とをさらに備え、
前記保持部材の第１保持部は、前記発光素子の外側面に当接するように、前記発光素子の外側面の周りに複数配置され、前記発光素子を前記第１保持部の所定の位置に保持するための第１係合爪部を含み、
前記保持部材の第２保持部は、前記受光素子の外側面に当接するように、前記受光素子の外側面の周りに複数配置され、前記受光素子を前記第２保持部の所定の位置に保持するための第２係合爪部を含み、
前記発光素子は、半球状の発光部と円柱状の胴部とを含み、
前記受光素子は、半球状の受光部と円柱状の胴部とを含み、
前記第１保持部の複数の第１係合爪部は、それぞれ、撓み変形可能であるとともに、撓み変形した状態で前記発光素子の胴部の中央よりも前記発光部側の外側面に当接することにより、前記発光素子を前記発光素子の中心に向かって付勢するように構成され、
前記第２保持部の複数の第２係合爪部は、それぞれ、撓み変形可能であるとともに、撓み変形した状態で前記受光素子の胴部の中央よりも前記受光部側の外側面に当接することにより、前記受光素子を前記受光素子の中心に向かって付勢するように構成され、
前記第１係合爪部の先端部は、前記発光素子側に向かって傾斜した第１傾斜部を含み、
前記第１係合爪部の先端部は、前記第１保持部に前記発光素子を配置する際に前記発光素子が前記第１傾斜部に当接することにより、外側方向に撓むように形成され、
前記第２係合爪部の先端部は、前記受光素子側に向かって傾斜した第２傾斜部を含み、
前記第２係合爪部の先端部は、前記第２保持部に前記受光素子を配置する際に前記受光素子が前記第２傾斜部に当接することにより、外側方向に撓むように形成されている、受発光装置。
【請求項２】
第１保持部、および、前記第１保持部から所定の間隔を隔てて設けられた第２保持部を含む保持部材と、
前記保持部材の第１保持部に配置された発光素子と、
前記保持部材の第２保持部に配置され、前記発光素子から発光された光を受光する受光素子とを備え、
前記保持部材の第１保持部は、前記発光素子の外側面に当接するように、前記発光素子の外側面の周りに複数配置され、前記発光素子を前記第１保持部の所定の位置に保持するための第１係合爪部を含み、
前記保持部材の第２保持部は、前記受光素子の外側面に当接するように、前記受光素子の外側面の周りに複数配置され、前記受光素子を前記第２保持部の所定の位置に保持するための第２係合爪部を含む、受発光装置。
【請求項３】
前記第１保持部の複数の第１係合爪部は、それぞれ、撓み変形可能であるとともに、撓み変形した状態で前記発光素子に当接することにより、前記発光素子を前記発光素子の中心に向かって付勢するように構成されており、
前記第２保持部の複数の第２係合爪部は、それぞれ、撓み変形可能であるとともに、撓み変形した状態で前記受光素子に当接することにより、前記受光素子を前記受光素子の中心に向かって付勢するように構成されている、請求項２に記載の受発光装置。
【請求項４】
前記発光素子は、半球状の発光部と円柱状の胴部とを含み、
前記第１係合爪部は、前記発光素子の胴部の中央よりも前記発光部側の外側面に当接するように構成され、
前記受光素子は、半球状の受光部と円柱状の胴部とを含み、
前記第２係合爪部は、前記受光素子の胴部の中央よりも前記受光部側の外側面に当接するように構成されている、請求項２または３に記載の受発光装置。
【請求項５】
前記第１係合爪部の先端部は、前記発光素子側に向かって傾斜した第１傾斜部を含み、
前記第１係合爪部の先端部は、前記第１保持部に前記発光素子を配置する際に前記発光素子が前記第１傾斜部に当接することにより、外側方向に撓むように形成され、
前記第２係合爪部の先端部は、前記受光素子側に向かって傾斜した第２傾斜部を含み、
前記第２係合爪部の先端部は、前記第２保持部に前記受光素子を配置する際に前記受光素子が前記第２傾斜部に当接することにより、外側方向に撓むように形成されている、請求項２〜４のいずれか１項に記載の受発光装置。
【請求項６】
印字部と、
前記印字部を制御する制御部が配置された配線基板と、
前記配線基板に取り付けられた受発光装置とを備え、
前記受発光装置は、
第１保持部、および、前記第１保持部から所定の間隔を隔てて設けられた第２保持部を有する保持部材と、
前記保持部材の第１保持部に配置された発光素子と、
前記保持部材の第２保持部に配置され、前記発光素子から発光された光を受光するた受光素子とを含み、
前記保持部材の第１保持部は、前記発光素子の外側面に当接するように、前記発光素子の外側面の周りに複数配置され、前記発光素子を前記第１保持部の所定の位置に保持するための第１係合爪部を含み、
前記保持部材の第２保持部は、前記受光素子の外側面に当接するように、前記受光素子の外側面の周りに複数配置され、前記受光素子を前記第２保持部の所定の位置に保持するための第２係合爪部を含む、画像形成装置。
【発明の詳細な説明】
【技術分野】
【０００１】
本発明は、受発光装置およびそれを備えた画像形成装置に関し、特に、発光素子を含む受発光装置およびそれを備えた画像形成装置に関する。
【背景技術】
【０００２】
従来、発光素子を含む発光装置（たとえば、特許文献１〜４参照）や発光装置および受光装置を含む受発光装置が知られている。
【０００３】
上記特許文献１には、配線基板と、配線基板に取り付けられた保持部材と、保持部材に保持され、外周部にフランジ部を有する発光素子とを備えた発光装置が開示されている。この発光装置は、配線基板に対して２つの係止爪を係合することにより固定されている。また、発光素子は、保持部材が有する２つの支持腕部がフランジ部と係合することによって保持部材に取り付けられている。
【０００４】
また、上記特許文献２には、ほぼ直方体の面実装型ＬＥＤ（発光素子）と、面実装型ＬＥＤを支持する光源支持体（保持部材）と、光源支持体が取り付けられている基板とを備えた光源装置（発光装置）が開示されている。この光源支持体は、一対の爪部からなる保持部により面実装型ＬＥＤを保持するように構成されている。また、面実装型ＬＥＤには、Ｕ字状に形成された導電性の接続部が設けられており、導電性の接続部は、光源支持体に接続されている。また、光源支持体は、基板に対して導通可能に接続されている。
【０００５】
また、上記特許文献３には、プリント基板と、プリント基板にその電極脚が取り付けられた個別部品（発光素子）と、個別部品を保持するホールド部（保持部材）とを備えた電子機器（発光装置）が開示されている。この電子機器のホールド部には、個別部品の折り曲げられた電極脚を所定の位置に保持する位置決め用フックが一体的に形成されている。この位置決め用フックは、個別部品の電極脚を、プリント基板の開口に挿入し易くする機能を有している。
【０００６】
また、上記特許文献４には、取付け孔を有するプリント基板と、リード線を有するランプ（発光素子）と、ランプを挿入可能な中空部を有するランプホルダ（保持部材）とを備えた発光装置が開示されている。このランプホルダは、外周部にフック部が設けられた筒体から形成されている。また、フック部は、プリント基板の取付け孔に係合するように構成されている。また、ランプホルダの中空部は、フック部が取付け孔に係合された際に内径が小さくなるとともにランプに当接するように構成されている。すなわち、ランプホルダをプリント基板に取り付けるのに伴って、ランプは、ランプホルダに対して移動しないように固定される。
【０００７】
【特許文献１】実開平５−６９８９１号公報
【特許文献２】特開２００６−１２８４１５号公報
【特許文献３】実公平８−７６５０号公報
【特許文献４】実登２５４０８０７号公報
【発明の開示】
【発明が解決しようとする課題】
【０００８】
しかしながら、上記特許文献１に開示された発光素子の保持部材では、１つの保持部材に対して１つの発光素子のみを係合可能となるように構成されているため、この保持部材を用いて発光素子と受光素子との両方を保持するのが困難であるという不都合がある。このため、発光素子と受光素子とを配線基板に対して配置する際には、発光素子を保持している保持部材とは別の保持部材に受光素子を保持させて配線基板に取り付けなければならず、発光素子と受光素子とを所定の間隔を隔てた位置に配置するために位置調整を行う必要があるという問題点がある。
【０００９】
また、上記特許文献２に開示された光源装置では、１つの光源支持体（保持部材）に対して１つの面実装型ＬＥＤ（発光素子）のみを係合可能となるように構成されているため、この光源支持体を用いて面実装型ＬＥＤと受光素子との両方を保持するのが困難であるという不都合がある。このため、面実装型ＬＥＤと受光素子とを基板に対して配置する際には、面実装型ＬＥＤを保持している光源支持体とは別の光源支持体に受光素子を保持させて基板に取り付けなければならず、面実装型ＬＥＤと受光素子とを所定の間隔を隔てた位置に配置するために位置調整を行う必要があるという問題点がある。
【００１０】
また、上記特許文献３に開示された電子機器（発光装置）では、１つのホールド部（保持部材）に対して１つの個別部品（発光素子）のみを保持することが可能となるように構成されているため、このホールド部を用いて個別部品と受光素子との両方を保持するのが困難であるという不都合がある。このため、個別部品と受光素子とをプリント基板に対して配置する際には、個別部品を保持しているホールド部とは別のホールド部に受光素子を保持させてプリント基板に取り付けなければならず、個別部品と受光素子とを所定の間隔を隔てた位置に配置するために位置調整を行う必要があるという問題点がある。
【００１１】
また、上記特許文献４に開示された発光装置では、１つのランプホルダ（保持部材）に対して１つのランプ（発光素子）のみを挿入可能となるように構成されているため、このランプホルダを用いてランプと受光素子との両方を保持するのが困難であるという不都合がある。このため、ランプと受光素子とをプリント基板に対して配置する際には、ランプが挿入されているランプホルダとは別のランプホルダに受光素子を保持させてプリント基板に取り付けなければならず、ランプと受光素子とを所定の間隔を隔てた位置に配置するために位置調整を行う必要があるという問題点がある。
【００１２】
この発明は、上記のような課題を解決するためになされたものであり、この発明の１つの目的は、発光素子と受光素子とを、位置調整を行うことなく所定の間隔を隔てた位置に配置することが可能な受発光装置およびそれを備えた画像形成装置を提供することである。
【課題を解決するための手段および発明の効果】
【００１３】
この発明の第１の局面による受発光装置は、発光素子を備えた受発光装置において、発光素子が配置されている第１保持部、および、第１保持部から所定の間隔を隔てて設けられた第２保持部を含む保持部材と、保持部材の第２保持部に配置され、発光素子から発光された光を受光する受光素子とをさらに備え、保持部材の第１保持部は、発光素子の外側面に当接するように、発光素子の外側面の周りに複数配置され、発光素子を第１保持部の所定の位置に保持するための第１係合爪部を含み、保持部材の第２保持部は、受光素子の外側面に当接するように、受光素子の外側面の周りに複数配置され、受光素子を第２保持部の所定の位置に保持するための第２係合爪部を含み、発光素子は、半球状の発光部と円柱状の胴部とを含み、受光素子は、半球状の受光部と円柱状の胴部とを含み、第１保持部の複数の第１係合爪部は、それぞれ、撓み変形可能であるとともに、撓み変形した状態で発光素子の胴部の中央よりも発光部側の外側面に当接することにより、発光素子を発光素子の中心に向かって付勢するように構成され、第２保持部の複数の第２係合爪部は、それぞれ、撓み変形可能であるとともに、撓み変形した状態で受光素子の胴部の中央よりも受光部側の外側面に当接することにより、受光素子を受光素子の中心に向かって付勢するように構成され、第１係合爪部の先端部は、発光素子側に向かって傾斜した第１傾斜部を含み、第１係合爪部の先端部は、第１保持部に発光素子を配置する際に発光素子が前記第１傾斜部に当接することにより、外側方向に撓むように形成され、第２係合爪部の先端部は、受光素子側に向かって傾斜した第２傾斜部を含み、第２係合爪部の先端部は、第２保持部に受光素子を配置する際に受光素子が第２傾斜部に当接することにより、外側方向に撓むように形成されている。
【００１４】
この発明の第１の局面による受発光装置では、上記のように、発光素子を第１保持部に配置するとともに、受光素子を第２保持部に配置することのみにより、発光素子と受光素子とを位置調整を行うことなく所定の間隔を隔てた位置に配置することができる。また、第１保持部の第１係合爪部を、発光素子の外側面に当接するように、発光素子の外側面の周りに複数配置するように構成することによって、第１係合爪部により、発光素子を第１保持部に強固に固定することができる。また、第２保持部の第２係合爪部を、受光素子の外側面に当接するように、受光素子の外側面の周りに複数配置するように構成することによって、第２係合爪部により、受光素子を第２保持部に強固に固定することができる。
【００１５】
また、第１の局面では、第１保持部の複数の第１係合爪部を、それぞれ、撓み変形した状態で発光素子に当接させることにより、発光素子を発光素子の中心に向かって付勢させるように構成することによって、発光素子が第１保持部に対してがたつくのを抑制することができる。また、第２保持部の複数の第２係合爪部を、それぞれ、撓み変形した状態で受光素子に当接させることにより、受光素子を受光素子の中心に向かって付勢させるように構成することによって、受光素子が第２保持部に対してがたつくのを抑制することができる。また、第１係合爪部を、発光素子の胴部の中央よりも発光部側の外側面に当接するように構成することによって、発光素子の発光部が第１保持部に対してがたつくのをより有効に抑制することができる。また、第２係合爪部を、受光素子の胴部の中央よりも受光部側の外側面に当接するように構成することによって、受光素子の受光部が第２保持部に対してがたつくのをより有効に抑制することができる。また、複数の第１係合爪部の先端部を、第１保持部に発光素子を配置する際に発光素子が第１傾斜部に当接することにより、外側方向に撓むように形成することによって、第１係合爪部を外側方向に撓ませて容易に発光素子を第１保持部に配置することができる。また、複数の第２係合爪部の先端部を、第２保持部に受光素子を配置する際に受光素子が第２傾斜部に当接することにより、外側方向に撓むように形成することによって、第２係合爪部を外側方向に撓ませて容易に受光素子を第２保持部に配置することができる。
【００１６】
この発明の第２の局面における受発光装置は、第１保持部、および、第１保持部から所定の間隔を隔てて設けられた第２保持部を含む保持部材と、保持部材の第１保持部に配置された発光素子と、保持部材の第２保持部に配置され、発光素子から発光された光を受光する受光素子とを備え、保持部材の第１保持部は、発光素子の外側面に当接するように、発光素子の外側面の周りに複数配置され、発光素子を第１保持部の所定の位置に保持するための第１係合爪部を含み、保持部材の第２保持部は、受光素子の外側面に当接するように、受光素子の外側面の周りに複数配置され、受光素子を第２保持部の所定の位置に保持するための第２係合爪部を含む。
【００１７】
この第２の局面による受発光装置では、上記のように、発光素子を第１保持部に配置するとともに、受光素子を第２保持部に配置することのみにより、発光素子と受光素子とを位置調整を行うことなく所定の間隔を隔てた位置に配置することができる。また、第１保持部の第１係合爪部を、発光素子の外側面に当接するように、発光素子の外側面の周りに複数配置するように構成することによって、第１係合爪部により、発光素子を第１保持部に強固に固定することができる。また、第２保持部の第２係合爪部を、受光素子の外側面に当接するように、受光素子の外側面の周りに複数配置するように構成することによって、第２係合爪部により、受光素子を第２保持部に強固に固定することができる。
【００１８】
上記第２の局面による受発光装置において、好ましくは、第１保持部の複数の第１係合爪部は、それぞれ、撓み変形可能であるとともに、撓み変形した状態で発光素子に当接することにより、発光素子を発光素子の中心に向かって付勢するように構成されており、第２保持部の複数の第２係合爪部は、それぞれ、撓み変形可能であるとともに、撓み変形した状態で受光素子に当接することにより、受光素子を受光素子の中心に向かって付勢するように構成されている。このように構成すれば、発光素子が第１保持部に対してがたつくのを抑制することができるとともに、受光素子が第２保持部に対してがたつくのを抑制することができる。
【００１９】
上記第２の局面による受発光装置において、好ましくは、発光素子は、半球状の発光部と円柱状の胴部とを含み、第１係合爪部は、発光素子の胴部の中央よりも発光部側の外側面に当接するように構成され、受光素子は、半球状の受光部と円柱状の胴部とを含み、第２係合爪部は、受光素子の胴部の中央よりも受光部側の外側面に当接するように構成されている。このように構成すれば、発光素子の発光部が第１保持部に対してがたつくのをより有効に抑制することができるとともに、受光素子の受光部が第２保持部に対してがたつくのをより有効に抑制することができる。
【００２０】
上記第２の局面による受発光装置において、好ましくは、第１係合爪部の先端部は、発光素子側に向かって傾斜した第１傾斜部を含み、第１係合爪部の先端部は、第１保持部に発光素子を配置する際に発光素子が第１傾斜部に当接することにより、外側方向に撓むように形成され、第２係合爪部の先端部は、受光素子側に向かって傾斜した第２傾斜部を含み、第２係合爪部の先端部は、第２保持部に受光素子を配置する際に受光素子が第２傾斜部に当接することにより、外側方向に撓むように形成されている。このように構成すれば、第１係合爪部を外側方向に撓ませて容易に発光素子を第１保持部に配置することができるとともに、第２係合爪部を外側方向に撓ませて容易に受光素子を第２保持部に配置することができる。
【００２１】
この発明の第３の局面における画像形成装置は、印字部と、印字部を制御する制御部が配置された配線基板と、配線基板に取り付けられた受発光装置とを備え、受発光装置は、第１保持部、および、第１保持部から所定の間隔を隔てて設けられた第２保持部を有する保持部材と、保持部材の第１保持部に配置された発光素子と、保持部材の第２保持部に配置され、発光素子から発光された光を受光するた受光素子とを含み、保持部材の第１保持部は、発光素子の外側面に当接するように、発光素子の外側面の周りに複数配置され、発光素子を第１保持部の所定の位置に保持するための第１係合爪部を含み、保持部材の第２保持部は、受光素子の外側面に当接するように、受光素子の外側面の周りに複数配置され、受光素子を第２保持部の所定の位置に保持するための第２係合爪部を含む。このように構成すれば、発光素子と受光素子とを、位置調整を行うことなく所定の間隔を隔てた位置に配置することが可能な受発光装置を備えた画像形成装置を得ることができる。
【発明を実施するための最良の形態】
【００２２】
以下、本発明を具体化した実施形態を図面に基づいて説明する。
【００２３】
図１は、本発明の一実施形態による昇華型プリンタの分解斜視図である。図２〜図１２は、図１に示した一実施形態による昇華型プリンタの構造を説明するための図である。まず、図１〜図１２を参照して、本発明の一実施形態による昇華型プリンタの構造について説明する。なお、本実施形態では、画像形成装置の一例である昇華型プリンタに本発明を適用した場合について説明する。
【００２４】
本発明の一実施形態による昇華型プリンタの装置本体は、図１および図２に示すように、金属製のシャーシ１と、印字を行うための印字ヘッド２（図１参照）と、印字ヘッド２に対向するように配置されたプラテンローラ３（図３参照）と、金属製の送りローラ４（図３参照）と、送りローラギア５と、所定の押圧力で送りローラ４を押圧する金属製の押さえローラ６（図３参照）と、樹脂製の下部用紙ガイド７ａと、樹脂製の上部用紙ガイド７ｂと、ゴム製の給紙ローラ８と、給紙ローラギア９と、ゴム製の排紙ローラ１０と、排紙ローラギア１１と、インクシート巻取リール１２と、モータブラケット１３と、用紙５０を搬送するためのステッピングモータ１４と、印字ヘッド２を回動させるためのステッピングモータ１５と、揺動可能な揺動ギア１６と、複数の中間ギア１７〜２０（図５参照）と、インクシートカートリッジ２１（図３参照）を支持するインクシートカートリッジ支持部２２と、昇華型プリンタの動作を制御する回路を構成する配線基板２３とを備えている。なお、印字ヘッド２は、本発明の「印字部」の一例である。また、本実施形態による昇華型プリンタには、図３に示すように、インクシート２４が収納されたインクシートカートリッジ２１と、昇華型プリンタに供給する用紙５０（図２参照）を収納するための用紙トレイ２５（図２参照）とが着脱可能に装着されている。
【００２５】
また、シャーシ１は、図１に示すように、一方側面１ａと、他方側面１ｂと、底面１ｃとを有している。また、シャーシ１の一方側面１ａには、上記したモータブラケット１３が取り付けられている。また、シャーシ１の他方側面１ｂには、インクシートカートリッジ２１を挿入するための挿入孔１ｄが設けられている。また、一方側面１ａの上端部および他方側面１ｂの上端部には、それぞれ、配線基板２３を取り付けるための取付部１ｅが２つずつ形成されている。また、取付部１ｅには、配線基板２３を固定するためのネジ２６が螺合されるネジ孔１ｆが形成されている。
【００２６】
また、印字ヘッド２は、図３に示すように、支持軸２ａと、アーム部２ｂと、ヘッド部２ｃと、ヘッド部２ｃに取り付けられる樹脂製のヘッドカバー２ｄとを含んでいる。また、印字ヘッド２は、図１に示すように、シャーシ１の一方側面１ａおよび他方側面１ｂの内側に、支持軸２ａを中心として回動可能に取り付けられている。また、印字ヘッド２のヘッド部２ｃには、図４に示すように、電圧パルスが印加されて発熱する複数の発熱体２ｅが、ヘッド部２ｃの用紙５０の幅方向（Ｘ方向）に沿って所定の間隔を隔てて一列に設けられている。
【００２７】
また、プラテンローラ３（図３参照）は、シャーシ１の一方側面１ａおよび他方側面１ｂに図示しないプラテンローラ軸受を介して回転可能に取り付けられている。また、送りローラ４は、図５に示すように、送りローラギア５に挿入される送りローラギア挿入部４ａを有する。また、送りローラ４は、シャーシ１の一方側面１ａおよび他方側面１ｂに取り付けられた図示しない送りローラ軸受に回転可能に支持されている。また、押さえローラ６（図３参照）は、図示しない押さえローラ軸受に回転可能に支持されている。
【００２８】
また、モータブラケット１３に取り付けられたステッピングモータ１４の軸部には、モータギア１４ａが取り付けられている。また、ステッピングモータ１４は、インクシート巻取リール１２のギア部１２ａと、給紙ローラギア９と、排紙ローラギア１１と、送りローラギア５とを駆動させるための駆動源としての機能を有する。また、ステッピングモータ１５は、印字ヘッド２（図３参照）をプラテンローラ３（図３参照）に対して押圧するように、印字ヘッド２の上面を押圧する図示しない押圧部材などの駆動源としての機能を有する。
【００２９】
また、インクシート巻取リール１２（図５参照）は、図３に示すように、インクシートカートリッジ２１の巻取部２１ａの内部に回転可能に配置された巻取ボビン２１ｂに係合することによって、供給ボビン２１ｃから供給されるインクシート２４を巻取ボビン２１ｂに巻き取るように構成されている。また、インクシート巻取リール１２のギア部１２ａは、図５に示すように、揺動ギア１６が揺動することによって係合するように配置されている。
【００３０】
また、下部用紙ガイド７ａは、図３に示すように、送りローラ４および押さえローラ６の近傍に設置されている。また、上部用紙ガイド７ｂは、下部用紙ガイド７ａの上部に取り付けられている。この上部用紙ガイド７ｂは、給紙時には、用紙５０（図２参照）が下面側を通過するようにして印刷部への給紙経路に案内するとともに、排紙時には、用紙５０が上面側を通過するようにして排紙経路に案内する機能を有する。
【００３１】
また、インクシートカートリッジ支持部２２は、図１および図３に示すように、シャーシ１の一方側面１ａおよび他方側面１ｂの内側に配置されている。また、インクシートカートリッジ支持部２２には、後述する発光素子２７から発せられる光を受光素子２８に反射させる機能を有するミラー部材２９が取り付けられている。
【００３２】
また、配線基板２３は、図１に示すように、シャーシ１の取付部１ｅに取り付けられている。具体的には、配線基板２３は、配線基板２３の４つの孔２３ａに通された４個のネジ２６をシャーシ１の取付部１ｅのネジ孔１ｆに締め付けることによって固定されている。また、配線基板２３には、印字ヘッド２を制御する制御部２３ｂが配置されている。
【００３３】
ここで、本実施形態では、配線基板２３には、図２および図３に示すように、インクシート２４の各色の境界部を検出するための発光素子２７および受光素子２８が設けられている。また、発光素子２７および受光素子２８とミラー部材２９との間には、図３に示すように、インクシート２４が配置されている。発光素子２７は、発光ダイオードにより形成されており、インクシートカートリッジ支持部２２に設けられているミラー部材２９に向かって光を発するように構成されている。また、ミラー部材２９は、発光素子２７により発せられた光を受光素子２８に反射するようにインクシートカートリッジ支持部２２に取り付けられている。また、受光素子２８は、フォトトランジスタにより形成されており、ミラー部材２９により反射された発光素子２７の光を感知（受光）する機能を有する。
【００３４】
また、本実施形態では、発光素子２７および受光素子２８は、保持部材３０に配置された状態で、配線基板２３に取り付けられている。なお、発光素子２７と受光素子２８と保持部材３０とによって受発光装置３１が構成されている。また、保持部材３０は、図６および図７に示すように、樹脂により構成されており、発光素子２７が配置される発光素子保持部３０ａ（図７参照）と、受光素子２８が配置される受光素子保持部３０ｂ（図７参照）とを含んでいる。なお、発光素子保持部３０ａは、本発明の「第１保持部」の一例であり、受光素子保持部３０ｂは、本発明の「第２保持部」の一例である。また、受光素子保持部３０ｂの中心は、図８および図９に示すように、発光素子保持部３０ａの中心から所定の間隔Ｄ（図８参照）を隔てて設けられている。すなわち、受光素子保持部３０ｂに取り付けられている受光素子２８と発光素子保持部３０ａに取り付けられている発光素子３０ａとの間の間隔は、常に一定になるように構成されている。
【００３５】
また、保持部材３０は、図４に示すように、発光素子保持部３０ａと受光素子保持部３０ｂとが、インクシート２４（図３参照）の幅方向（Ｘ方向）に並ぶように配置されている。また、発光素子保持部３０ａは、ミラー部材２９の真上に位置するように配置されている。また、ミラー部材２９は、水平方向に対して角度を有した状態でインクシートカートリッジ支持部２２に取り付けられている。これにより、発光素子２７から発せられた光を受光素子２８の方向に反射させることが可能となる。
【００３６】
また、発光素子保持部３０ａの下面部には、図７および図９に示すように、発光素子２７の脚部２７ａ（図７参照）を挿入するための孔部３０ｃが設けられている。また、受光素子保持部３０ｂの下面部には、受光素子２８の脚部２８ａ（図７参照）を挿入するための孔部３０ｄが設けられている。そして、発光素子２７の脚部２７ａおよび受光素子２８の脚部２８ａが、それぞれ、孔部３０ｃおよび孔部３０ｄに挿入されるとともに配線基板２３に半田付けされることによって、発光素子２７および受光素子２８が、それぞれ、配線基板２３に固定されている。また、発光素子保持部３０ａには、発光素子２７の座部２７ｂ（図７参照）の外周部を覆うように形成された壁部３０ｅが設けられている。また、受光素子保持部３０ｂには、受光素子２８の座部２８ｂ（図７参照）の外周部の少なくとも半周を覆うように形成された壁部３０ｆが設けられている。
【００３７】
また、発光素子２７の座部２７ｂの上部には、図７および図１０に示すように、円柱状の胴部２７ｃが設けられている。また、胴部２７ｃの上部には、半球状の発光部２７ｄが設けられている。また、受光素子２８の座部２８ｂの上部には、円柱状の胴部２８ｃが設けられている。また、胴部２８ｃの上部には、半球状の受光部２８ｄが設けられている。
【００３８】
また、本実施形態では、発光素子保持部３０ａの壁部３０ｅには、図７および図１０に示すように、上方に延びるように形成された発光素子係合部３０ｇが一体的に設けられている。なお、発光素子係合部３０ｇは、本発明の「第１係合爪部」の一例である。また、発光素子係合部３０ｇは、図７に示すように、壁部３０ｅの上部に３つ設けられており、隣り合う発光素子係合部３０ｇは、それぞれ、発光素子２７が発光素子保持部３０ａに対して移動するのを抑制するように所定の角度（αまたはβ）（図８参照）間隔で配置されている。また、発光素子係合部３０ｇは、図１０に示すように、それぞれ、発光素子保持部３０ａの中心に向かって傾くように、かつ、撓み変形可能であるように形成されている。また、発光素子係合部３０ｇは、図８および図１０に示すように、発光素子保持部３０ａに発光素子２７が配置された際に、それぞれ、発光素子２７の胴部２７ｃの外側面に発光素子２７の中心線Ｌ１（図１０参照）（略水平方向）に向かって付勢するように構成されている。また、発光素子保持部３０ａは、図１０に示すように、発光素子２７の胴部２７ｃの中央Ｃ１よりも発光部２７ｄ側（上側）に当接するように構成されている。
【００３９】
また、本実施形態では、発光素子係合部３０ｇの先端部分には、図７に示すように、それぞれ、傾斜部３０ｈが設けられている。この傾斜部３０ｈは、発光素子係合部３０ｇの外周側が鋭角状になるように、発光素子２７側に向かって傾斜した平坦面を形成することによって設けられている。このように、発光素子係合部３０ｇに傾斜部３０ｈを設けることによって、図１１に示すように、発光素子２７の座部２７ｂの下面を傾斜部３０ｈに押し当てることにより発光素子係合部３０ｇを外側方向に撓ませることが可能となるので、容易に、発光素子２７を発光素子保持部３０ａに配置することが可能となる。なお、傾斜部３０ｈは、本発明の「第１傾斜部」の一例である。
【００４０】
また、本実施形態では、受光素子保持部３０ｂの壁部３０ｆには、図７および図１０に示すように、上方に延びるように形成された受光素子係合部３０ｉが一体的に設けられている。なお、受光素子係合部３０ｉは、本発明の「第２係合爪部」の一例である。また、受光素子係合部３０ｉは、図７に示すように、壁部３０ｆの上部に３つ設けられており、隣り合う受光素子係合部３０ｉは、それぞれ、受光素子２８が受光素子保持部３０ｂに対して移動するのを抑制するように所定の角度（αまたはβ）（図８参照）間隔で配置されている。また、受光素子係合部３０ｉは、図１０に示すように、それぞれ、受光素子保持部３０ｂの中心に向かって傾くように、かつ、撓み変形可能であるように形成されている。また、受光素子係合部３０ｉは、図８および図１０に示すように、受光素子保持部３０ｂに受光素子２８が配置された際に、それぞれ、受光素子２８の胴部２８ｃの外側面に受光素子２８の中心線Ｌ２（図１０参照）（略水平方向）に向かって付勢するように構成されている。また、受光素子保持部３０ｂは、図１０に示すように、受光素子２８の胴部２８ｃの中央Ｃ２よりも受光部２８ｄ側（上側）に当接するように構成されている。
【００４１】
また、本実施形態では、受光素子係合部３０ｉの先端部分には、図７に示すように、それぞれ、傾斜部３０ｊが設けられている。この傾斜部３０ｊは、受光素子係合部３０ｉの外周側が鋭角状になるように、受光素子２８側に向かって傾斜した平坦面を形成することによって設けられている。このように、受光素子係合部３０ｉに傾斜部３０ｊを設けることによって、図１１に示した発光素子２７および発光素子係合部３０ｇ同様、受光素子２８の座部２８ｂの下面を傾斜部３０ｊに押し当てることにより受光素子係合部３０ｉを外側方向に撓ませることが可能となるので、容易に、受光素子２８を受光素子保持部３０ｂに配置することが可能となる。なお、傾斜部３０ｊは、本発明の「第２傾斜部」の一例である。
【００４２】
また、図３に示すように、インクシートカートリッジ２１には、インクシート２４が巻き付けられた供給ボビン２１ｃが回転可能に内部に配置された供給部２１ｄが設けられている。このインクシート２４は、図１２に示すように、Ｙ色（イエロー）印字シート２４ａ、Ｍ色（マゼンダ）印字シート２４ｂおよびＣ色（シアン）印字シート２４ｃの３色のシートと、印刷された用紙５０の印刷面を保護するための透明のＯＰ（オーバーコート）シート２４ｄとを有している。
【００４３】
また、Ｙ色（イエロー）印字シート２４ａ、Ｍ色（マゼンダ）印字シート２４ｂ、Ｃ色（シアン）印字シート２４ｃおよびＯＰ（オーバーコート）シート２４ｄの境界部には、それぞれ、頭出し識別部２４ｅが設けられている。また、頭出し識別部２４ｅは、遮光部からなり、発光素子２７が発する光を遮る機能を有する。これにより、頭出し識別部２４ｅにより発光素子２７が発する光が遮られた場合に、発光素子２７が発する光が受光素子２８に届かなくなるので、Ｙ色（イエロー）印字シート２４ａとＭ色（マゼンダ）印字シート２４ｂとの境界部、Ｍ色（マゼンダ）印字シート２４ｂとＣ色（シアン）印字シート２４ｃとの境界部、Ｃ色（シアン）印字シート２４ｃとＯＰ（オーバーコート）シート２４ｄとの境界部およびＯＰ（オーバーコート）シート２４ｄとＹ色（イエロー）印字シート２４ａとの境界部を、それぞれ、認識することが可能となる。
【００４４】
図１３〜図１５は、図１に示した本発明の一実施形態による昇華型プリンタの印字動作を説明するための断面図である。次に、図４、図５および図１２〜図１５を参照して、本発明の一実施形態による昇華型プリンタの印字動作を説明する。
【００４５】
まず、インクシート２４の頭出し動作が行われる。具体的には、ステッピングモータ１４（図５参照）が駆動される。そして、図５に示すように、ステッピングモータ１４が駆動するのに伴って、ステッピングモータ１４に取り付けられたモータギア１４ａが矢印Ｂ３方向に回転し、中間ギア１７および１８を介して、送りローラギア５がＢ１方向に回転する。これにより、揺動可能な揺動ギア１６は、インクシート巻取リール１２のギア部１２ａに係合する方向（Ｂ２方向）に揺動されて、インクシート巻取リール１２のギア部１２ａと係合する。このとき、インクシート巻取リール１２（図５参照）のギア部１２ａがＢ４方向に回転するので、図１３に示すように、供給ボビン２１ｃに巻き付けられたインクシート２４が巻取ボビン２１ｂに巻き取られる。
【００４６】
そして、発光素子２７により発せられてミラー部材２９により反射される光が頭出し識別部２４ｅ（図１２参照）により遮られたか否かを、受光素子２８が検出する。そして、受光素子２８に発光素子２７から発せられた光が到達せずに頭出し識別部２４ｅが検出されるまで、供給ボビン２１ｃに巻き付けられたインクシート２４が巻取ボビン２１ｂに巻き取られる。
【００４７】
その後、ステッピングモータ１４が駆動するのに伴って、ステッピングモータ１４に取り付けられたモータギア１４ａが図５のＡ３方向に回転し、中間ギア１７および１８を介して、送りローラギア５が図５のＡ１方向に回転する。そして、送りローラギア５が図５のＡ１方向に回転するのに伴って、中間ギア１９および２０を介して、給紙ローラギア９が図５のＡ４方向に回転する。これにより、図１４に示すように、給紙ローラ８が図１４のＡ４方向に回転するので、給紙ローラ８の下面側に接触する用紙５０が給紙方向（図１４の矢印Ｔ１方向）に搬送される。その結果、用紙５０は、下部用紙ガイド７ａに案内されて、送りローラ４および押さえローラ６により印刷開始位置まで搬送される。
【００４８】
この際、図５に示すように、揺動ギア１６は、巻取リール１２のギア部１２ａから離間される方向（図５のＡ２方向）に揺動されて、巻取リール１２のギア部１２ａとは係合しない。これにより、給紙時には、巻取リール１２のギア部１２ａが回転しないので、巻取ボビン２１ｂおよび供給ボビン２１ｃ（図１４参照）に巻き付けられたインクシート２４は巻き取られない。
【００４９】
その後、図５に示すように、ステッピングモータ１４が駆動するのに伴って、ステッピングモータ１４に取り付けられたモータギア１４ａがＢ３方向に回転し、中間ギア１７および１８を介して、送りローラギア５がＢ１方向に回転する。これにより、送りローラ４は、Ｂ１方向に回転する送りローラギア５の回転に伴って、図１５のＢ１方向に回転するので、用紙５０は排紙方向（図１５の矢印Ｕ１方向）に搬送される。そして、図１５に示すように、用紙５０を排紙方向（矢印Ｕ１方向）に搬送する際に、印字ヘッド２とプラテンローラ３とにより用紙５０とインクシート２４とが押圧されるとともに、印字ヘッド２のヘッド部２ｃに含まれる発熱体２ｅ（図４参照）が発熱される。この発熱によりインクシート２４のＹ色（イエロー）印字シート２４ａのインクが昇華されるとともに用紙５０に転写される。また、揺動可能な揺動ギア１６は、インクシート巻取リール１２のギア部１２ａに係合する方向（Ｂ２方向）に揺動されて、インクシート巻取リール１２のギア部１２ａと係合する。これにより、インクシート巻取リール１２（図５参照）のギア部１２ａがＢ４方向に回転するので、供給ボビン２１ｃに巻き付けられたインクシート２４が巻取ボビン２１ｂに巻き取られる。
【００５０】
その後、Ｍ色（マゼンダ）印字シート２４ｂ、Ｃ色（シアン）印字シート２４ｃおよびＯＰ（オーバーコート）シート２４ｄにおいても、上記と同様のインクシート２４の頭出し、給紙動作および印刷動作（コーティング動作）が行われる。
【００５１】
本実施形態では、上記のように、保持部材３０に発光素子保持部３０ａから所定の間隔Ｄを隔てて設けられた受光素子保持部３０ｂを設けることによって、発光素子２７を発光素子保持部３０ａに配置するとともに、受光素子２８を受光素子保持部３０ｂに配置することのみにより、発光素子２７と受光素子２８とを位置調整を行うことなく所定の間隔を隔てた位置に配置することができる。また、発光素子保持部３０ａの発光素子係合部３０ｇを、発光素子２７の外側面に当接するように、発光素子２７の外側面の周りに所定の角度（αまたはβ）間隔で複数配置するように構成することによって、発光素子係合部３０ｇにより、発光素子２７を発光素子保持部３０ａに強固に固定することができる。また、受光素子保持部３０ｂの受光素子係合部３０ｉを、受光素子２８の外側面に当接するように、受光素子２８の外側面の周りに所定の角度（αまたはβ）間隔で複数配置するように構成することによって、受光素子係合部３０ｉにより、受光素子２８を受光素子保持部３０ｂに強固に固定することができる。
【００５２】
また、本実施形態では、発光素子保持部３０ａの３つの発光素子係合部３０ｇを、それぞれ、撓み変形可能であるとともに、撓み変形した状態で発光素子２７に当接させることにより、発光素子２７を発光素子２７の中心に向かって付勢させるように構成することによって、発光素子２７が発光素子保持部３０ａに対してがたつくのを抑制することができる。また、受光素子保持部３０ｂの３つの受光素子係合部３０ｉを、それぞれ、撓み変形可能であるとともに、撓み変形した状態で受光素子２８に当接させることにより、受光素子２８を受光素子２８の中心に向かって付勢させるように構成することによって、受光素子２８が受光素子保持部３０ｂに対してがたつくのを抑制することができる。
【００５３】
また、本実施形態では、発光素子係合部３０ｇを、発光素子２７の胴部２７ｃの中央Ｃ１よりも発光部２７ｄ側（上側）の外側面に当接するように構成することによって、発光素子２７の発光部２７ｄが発光素子保持部３０ａに対してがたつくのをより有効に抑制することができる。また、受光素子係合部３０ｉを、受光素子２８の胴部２８ｃの中央Ｃ２よりも受光部２８ｄ側（上側）の外側面に当接するように構成することによって、受光素子２８の受光部２８ｄが受光素子保持部３０ｂに対してがたつくのをより有効に抑制することができる。
【００５４】
また、本実施形態では、３つの発光素子係合部３０ｇの先端部に、それぞれ、発光素子２７に向かって傾斜した傾斜部３０ｈを設け、３つの発光素子係合部３０ｇを、発光素子保持部３０ａに発光素子２７を配置する際に発光素子２７が傾斜部３０ｈに当接することにより、外側方向に撓むように形成し、３つの受光素子係合部３０ｉの先端部に、それぞれ、受光素子２８に向かって傾斜した傾斜部３０ｊを設け、３つの受光素子係合部３０ｉを、受光素子保持部３０ｂに受光素子２８を配置する際に受光素子２８が傾斜部３０ｊに当接することにより、外側方向に撓むように形成することによって、容易に、発光素子係合部３０ｇを外側方向に撓ませて発光素子２７を発光素子保持部３０ａに配置することができるとともに、容易に、受光素子係合部３０ｉを外側方向に撓ませて受光素子２８を受光素子保持部３０ｂに配置することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、受発光装置を備えた昇華型プリンタに本発明を適用する例を示したが、本発明はこれに限らず、受発光装置を備えた昇華型プリンタ以外の電子機器にも適用可能である。
【００５７】
また、上記実施形態では、発光素子係合部および受光素子係合部を、それぞれ、３つずつ設けた例を示したが、本発明はこれに限らず、２つまたは４つ以上の発光素子係合部および受光素子係合部を設けるようにしてもよい。ただし、２つの発光素子係合部または２つの受光素子係合部を設ける場合、発光素子係合部および２つの受光素子係合部は、それぞれ、発光素子および受光素子に対して面接触または線接触するように形成するのが好ましい。
【００５８】
また、上記実施形態では、発光素子係合部および受光素子係合部を、それぞれ、水平方向に付勢させた例を示したが、本発明はこれに限らず、発光素子係合部および受光素子係合部を、それぞれ、垂直方向（下方向）にも付勢させるようにしてもよい。この場合、発光素子が発光素子保持部から外れるのをより抑制することができるとともに、受光素子が受光素子保持部から外れるのをより抑制することができる。
【００５９】
また、上記実施形態では、発光素子係合部および受光素子係合部を、それぞれ、発光素子保持部および受光素子保持部の壁部に一体的に設けた例を示したが、本発明はこれに限らず、発光素子係合部および受光素子係合部を、それぞれ、発光素子保持部および受光素子保持部の壁部と別体で設けてもよい。
【００６０】
また、上記実施形態では、受発光装置を、配線基板に設けた例を示したが、本発明はこれに限らず、配線基板以外の部分に設けるようにしてもよい。
【図面の簡単な説明】
【００６１】
【図１】本発明の一実施形態による昇華型プリンタの分解斜視図である。
【図２】図１に示した一実施形態による昇華型プリンタの斜視図である。
【図３】図１に示した一実施形態による昇華型プリンタの断面図である。
【図４】図１に示した一実施形態による昇華型プリンタの平面図である。
【図５】図１に示した一実施形態による昇華型プリンタに含まれるギアの配置位置を示した図である。
【図６】図１に示した一実施形態による昇華型プリンタの受発光装置を示した斜視図である。
【図７】図１に示した一実施形態による昇華型プリンタの受発光装置を示した分解斜視図である。
【図８】図１に示した一実施形態による昇華型プリンタの受発光装置を示した平面図である。
【図９】図１に示した一実施形態による昇華型プリンタの保持部材を示した平面図である。
【図１０】図１に示した一実施形態による昇華型プリンタの受発光装置を示した正面図である。
【図１１】図８の１００−１００線に沿った断面図である。
【図１２】図１に示した一実施形態による昇華型プリンタに使用されるインクシートを示した平面図である。
【図１３】図１に示した一実施形態による昇華型プリンタの印字動作を説明するための断面図である。
【図１４】図１に示した一実施形態による昇華型プリンタの印字動作を説明するための断面図である。
【図１５】図１に示した一実施形態による昇華型プリンタの印字動作を説明するための断面図である。
【符号の説明】
【００６２】
２  印字ヘッド（印字部）
２３  配線基板
２３ｂ  制御部
２７  発光素子
２７ｃ  胴部
２７ｄ  発光部
２８  受光素子
２８ｃ  胴部
２８ｄ  受光部
３０  保持部材
３０ａ  発光素子保持部（第１保持部）
３０ｂ  受光素子保持部（第２保持部）
３０ｇ  発光素子係合部（第１係合爪部）
３０ｉ  受光素子係合部（第２係合爪部）
３０ｈ  傾斜部（第１傾斜部）
３０ｊ  傾斜部（第２傾斜部）
３１  受発光装置
【図１】
2008183891.tif 000003
【図２】
2008183891.tif 000004
【図３】
2008183891.tif 000005
【図４】
2008183891.tif 000006
【図５】
2008183891.tif 000007
【図６】
2008183891.tif 000008
【図７】
2008183891.tif 000009
【図８】
2008183891.tif 000010
【図９】
2008183891.tif 000011
【図１０】
2008183891.tif 000012
【図１１】
2008183891.tif 000013
【図１２】
2008183891.tif 000014
【図１３】
2008183891.tif 000015
【図１４】
2008183891.tif 000016
【図１５】
2008183891.tif 000017